(57)【要約】【課題】光ピックアップ対物レンズのクリーニング。【解決手段】クリーニングディスク７は、中心孔８及びＴＯＣエリア９を設け、その外周には、光ピックアップ対物レンズ１３の汚れ度合いに応じたクリーニングを、各トラック１、２、３、４、５で選択が出来るようにする為のインフォメーションを記録したエリア６を設けその外周に数分間の無音データ１０ａを記録した部分にクリーニング部材１１ａを１つ以上設け、トラック２以降は、任意に設けられたトラック２、３、４、５のうち、最後のトラック５を除く他のトラックの内側へクリーニング終了メッセージ１２ａ、１２ｂ、１２ｃを記録し、更に連続して無音データエリア１０ｂ、１０ｃ、１０ｄを形成し、そこにクリーニング部材１１ｂ、１１ｃ、１１ｄを設けたトラックを複数形成している。又、前記したトラック５には、クリーニングの開始と終了、あるいは終了のみ、叉はそれらに代わる告知手段のみが記録されたクリーニングメッセージ１２ｄを形成している。【選択図】図１
2006172679.tif 000002
【特許請求の範囲】
【請求項１】
光ピックアップ装置の対物レンズを清掃するクリーニングディスクにおいて、内周より順に外周に向かって独立したトラックを形成し、最内周側のトラック１には、以降独立した各トラックへの移行を任意に行うための、インフォメーションを記録してあるエリアとクリーニング部材を設けるための無音データエリアが連続して設けてある。
任意に設けられ独立したトラックのうち、最後のトラックを除くトラック２以降すべてのトラックのスタート位置には、実際にはそれよりも前に設けられた各トラックで行われるクリーニングの開始と終了あるいは終了のみのメッセージ、叉はそれらに代わる告知手段が記録されてあり、更に連続してクリーニング部材を設けるための無音データエリアが設けられてある事を特徴とする光ピックアップレンズクリーナ。
【請求項２】
トラック２以降より前記のクリーニンの開始と終了あるいは終了のみのメッセージが記録されてあり、クリーニング部材を設けるための無音データエリアが連続して設けてあるトラックを複数形成し構成した事を特徴とする請求項１記載の光ピックアップレンズクリーナ。
【請求項３】
任意に設けたトラックのうち、最後のトラックにはクリーニングの開始と終了、あるいは終了のみ、叉はそれらに代わる告知手段のみが記録されている事を特徴とする請求項１及び請求項２記載の光ピックアップレンズクリーナ。
【発明の詳細な説明】
【技術分野】
【０００１】本発明は、光ピックアップ対物レンズのクリーニングに関するものである。
【背景技術】
【０００２】現在市販されている多くの光ピックアップレンズクリーナは、クリーニングディスク面にクリーニング部材を１つ叉は同じ１つのトラックに複数設けたものが多く使用されており、当該クリーニングディスクをプレーヤで再生する事により、光ピックアップ対物レンズにクリーニング部材が接触し、該光ピックアップ対物レンズの汚れをクリーニングしている。
【発明が解決しようとする課題】
【０００３】光ピックアップ対物レンズの汚れ度合いは、使用環境や使用時間等に依って大きく左右される。
それに依ってクリーニングの頻度も違ってくるのが自然であり３ヶ月ぶりと１年ぶりとでのクリーニング度合いが同じでは常識的にも不自然である。
その違いに依って、一度のクリーニングで症状が改善されない場合には、症状が改善されるまで何度か同じ事を繰り返さなければならず手間が掛かる。
本発明は、そのような手間を省き、必要最小限の操作で最大のクリーニング効果をあげるべく考案されている。
【課題を解決する手段】
【０００４】本発明は、クリーニングディスクの最内周に設けたトラック１へ、これ以降各トラックへ移行させるためのインフォメーションを記録してあり、更に連続してその外周に数分間の無音データを記録した部分にクリーニング部材を１つ以上設けたエリアで構成されている。
トラック２以降に任意に設けられたトラックのうち、最後のトラックを除く他のトラックの内側へはクリーニング終了メッセージを記録し、更に連続して無音データエリアを形成し、そこにクリーニング部材を設けたトラックを複数形成し構成されている。
最初にトラック１にはこの複数のトラックより汚れ度合いに応じてクリーニング回数（強弱）が自由に選択出来るようインフォメーションを記録してある。このインフォメーションの中から最後のトラックを選択すれば、光ピックアップはトラック１から最後のトラックへ一気に移行し、その間に設けられたクリーニング部材とトラックの数の分だけ接触し、物理的に強力なクリーニングが行われる。
又、前記インフォメーションからトラック２を選択すれば、レンズとクリーニング部材との接触は１回のみであるから少ないクリーニングとなる。
以上のように、前記課題で指摘したように同じ事を繰り返す事なく光ピックアップレンズのクリーニングが、プレーヤを一度、あるいは少なくとも最小回数の操作で、十分なクリーニング効果を得られるよう構成されている。
【発明の実施と形態】
【０００５】本発明の、構成を図１及び図２によって説明する。
クリーニングディスク７は、中心孔８及びＴＯＣエリア９を設け、その外周には、光ピックアップ対物レンズ１３の汚れ度合いに応じたクリーニングを、各トラック１、２、３、４、５で選択が出来るようにする為のインフォメーションエリア６を記録してあり、更に連続してその外周に数分間の無音データ１０ａを記録した部分にクリーニング部材１１ａを１つ以上設け形成している。
前記したトラック２以降へは、任意に設けられたトラック２、３、４、５のうち、最後のトラック５を除く他のトラックの内側へクリーニング終了メッセージ１２ａ、１２ｂ、１２ｃを記録し、更に連続して無音データエリア１０ｂ、１０ｃ、１０ｄを形成し、そこにクリーニング部材１１ｂ、１１ｃ、１１ｄを１つ以上設けたトラックを複数形成している。
又、前記したトラック５には、クリーニングの開始と終了、あるいは終了のみ、叉はそれらに代わる告知手段のみが記録されたクリーニングメッセージ１２ｄを形成し構成している。
【実施例】
【０００６】本発明の実施例を図２及び図３によって説明する。
プレーヤ１４のトレー１５をイジェクトし、該トレー１５にクリーニングディスク７をセットしプレーボタンを押しプレー状態にする。
例えば、トラック２を選択すると光ピックアップ対物レンズ１３がトラック１からトラック２のクリーニング終了メッセージ記録エリア１２ａまで移行することにより、無音データ１０ａを記録した部分に設けたクリーニング部材１１ａによりクリーニングされ、前記クリーニン終了グメッセージ１２ａの再生が終了した時点でプレーヤ１４の停止ボタン押しクリーニングは終了する。【０００７】前記クリーニングは、光ピックアップ対物レンズ１３のごく軽度な汚れに対応する例で、該光ピックアップ対物レンズ１３の汚れ度合いに依ってトラック２〜５を自由に選択することにより、前記光ピックアップ対物レンズ１３はクリーニング部材１１ａ及び１１ｂ、１１ａ〜１１ｃ、１１ａ〜１１ｄと接触し汚れ度合いに応じたクリーニングを行う。
【発明の効果】
【０００８】本発明は、以上説明したような形態で実施され、以下に記載されるような効果を得られる。
【０００９】汚れ度合いに応じ希望するトラックを選択する事に依り効果的なクリーニングが容易に出来る。
【００１０】希望するクリーニングが１回の操作で行える。
【００１１】クリーニング部材のウエットとドライの併用が出来クリーニング効果が上がる。
【図面の簡単な説明】
【図１】本発明の、クリーニングディスクを示す平面図。
【図２】本発明の、クリーニングディスクの機能を示すブロック図。
【図３】本発明の、実施例を示す斜視図。
【符号の説明】
１〜５：トラック
６：クリーニング度合いに関するインフォメーションエリア
７：クリーニングディスク
８：中心孔
９：ＴＯＣエリア
１０ａ〜１０ｄ：無音データエリア
１１ａ〜１１ｄ：クリーニング部材
１２ａ〜１２ｄ：クリーニング開始ｏｒ終了メッセージ
１３：光ピックアップ対物レンズ
１４：プレーヤ
１５：トレー
【図１】
2006172679.tif 000003
【図２】
2006172679.tif 000004
【図３】
2006172679.tif 000005